(57)【要約】      （修正有）【課題】ＤＶＤとＣＤとをラベル層を介して貼り合わせた形態のデュアルディスクや、記録層と反対側に熱又は光によって変色する変色層を基板に一体に設け、変色層にレーザ光を照射して記録層と反対側にレーベル面を形成できるようにしたレーベルフラッシュディスクを、他のディスクから迅速かつ正確に判別できる光ディスク装置及び光ディスクの判別方法を提供する。【解決手段】光ディスク装置が光ディスクにそれぞれ異なる波長のレーザ光を照射し、各波長のレーザ光の照射によって得られた反射光を検出し、各反射光の検出結果から誤差信号の振幅を求め、反射光同士の振幅の比に基づいて光ディスクの判別を行う。【選択図】図１
2009151863.tif 000002
【特許請求の範囲】
【請求項１】
光ディスクの再生、又は記録再生を行う光ディスク装置において、
レーザ光を光ディスクに照射する光ピックアップと、
前記レーザ光の光スポットを光軸方向に移動させるアクチュエータと、
前記アクチュエータによるフォーカス制御の際に前記光ディスクからの反射光を検出する光検出器と、
前記光検出器からの出力信号に基づいて誤差信号を求める信号処理回路と、
を備え、
前記光ピックアップが前記光ディスクに異なる波長のレーザ光を照射し、
各波長のレーザ光に対する反射光を前記光検出器が検出し、
前記信号処理回路は、各反射光に対して前記誤差信号の振幅を求め、当該各反射光の振幅に基づいて振幅比を計算し、当該振幅比に基づいて前記光ディスクを判別する光ディスク装置。
【請求項２】
前記光ピックアップは、第１の波長を持つ第１のレーザ光と第２の波長を持つ第２のレーザ光を前記光ディスクに照射し、
前記信号処理回路は、
前記第１のレーザ光の第１の反射光についてフォーカス誤差信号の振幅とプルインエラー信号の振幅とを求め、
前記第２のレーザ光の第２の反射光についてフォーカス誤差信号の振幅とプルインエラー信号の振幅とを求める、請求項１記載の光ディスク装置。
【請求項３】
前記光ピックアップは、第１の規格に対応する波長を持ったレーザ光を前記第１のレーザ光として前記光ディスクに照射し、第２の規格に対応する波長を持ったレーザ光を第２のレーザ光として前記光ディスクに照射するものである請求項２記載の光ディスク装置。
【請求項４】
前記第１の規格がＣＤ規格であり、前記第２の規格がＤＶＤ規格であり、
前記信号処理回路は、
ＤＶＤレーザ光が前記光ディスクの情報記録面に照射されて得られた反射光におけるフォーカス誤差信号の振幅（ＦＥ1）と、
前記ＤＶＤレーザ光が前記光ディスクの情報記録面に照射されて得られた反射光におけるプルインエラー信号振幅（ＰＥ1）と、
ＣＤレーザが前記光ディスクの情報記録面に照射されて得られた反射光におけるフォーカス誤差信号の振幅（ＦＥ２）と、
前記ＣＤレーザが前記光ディスクの情報記録面に照射されて得られた反射光におけるプルインエラー信号の振幅（ＰＥ２）と、を測定する、
請求項３記載の光ディスク装置。
【請求項５】
前記信号処理回路は、（ＦＥ１）／（ＦＥ２）が第１の特定閾値より大きい場合には対象ディスクがＤＶＤであると判別し、前記第１の特定閾値以下の場合には対象ディスクがＤＶＤ以外と判別する、請求項４記載の光ディスク装置。
【請求項６】
前記信号処理回路は、[（（ＦＥ２）／（ＦＥ１））＊（（ＰＥ２）／（ＰＥ１））]が第２の特定閾値より大きい場合には、対象ディスクがＣＤであると判別し、前記第２の特定閾値以下の場合には対象ディスクがＣＤ以外と判別する、請求項４記載の光ディスク装置。
【請求項７】
前記信号処理回路は、（ＰＥ１）／（ＦＥ１）が第３の特定閾値より大きい場合には、対象ディスクがＣＤ記録面とＤＶＤ記録面とを有するデュアルディスクのＣＤ面であると判別し、前記第３の特定閾値以下の場合には、対象ディスクがレーベルフラッシュディスクのレーベル面であると判別する、請求項４記載の光ディスク装置。
【請求項８】
前記信号処理回路は、
（ＦＥ１）／（ＦＥ２）が第１の特定閾値以下であることによって、対象ディスクがＤＶＤ以外であると判定し、
次いで、[（（ＦＥ２）／（ＦＥ１））＊（（ＰＥ２）／（ＰＥ１））]が第２の特定閾値以下であることによって、前記対象ディスクがＤＶＤ及びＣＤ以外のディスクであると判定し、
次いで、（ＰＥ１）／（ＦＥ１）と第３の特定閾値とを比較して、対象ディスクがＣＤ記録面とＤＶＤ記録面とを有するデュアルディスクのＣＤ面か、又は、レーベルフラッシュディスクのレーベル面であるかを判別する、請求項４記載の光ディスク装置。
【請求項９】
前記信号処理回路は、ＣＤ記録面とＤＶＤ記録面とを有するデュアルディスクとＣＤとのそれぞれに現れる前記振幅比の相違によって、対象ディスクが前記デュアルディスクのＣＤ面か前記ＣＤかを判別する、請求項１記載の光ディスク装置。
【請求項１０】
前記信号処理回路は、ＣＤ記録面とＤＶＤ記録面とを有するデュアルディスクのＣＤ記録面とレーベルフラッシュディスクのレーベル面のそれぞれに現れる前記振幅比の相違によって、対象ディスクが前記デュアルディスクか前記レーベルフラッシュディスクかを判別する、請求項１記載の光ディスク装置。
【請求項１１】
光ディスクの再生、又は記録再生を行う光ディスク装置における光ディスクの判別方法おいて、
前記光ディスクに異なる波長のレーザ光を照射する工程と、
各波長のレーザ光に対する反射光を検出する工程と、
各反射光に対して誤差信号の振幅を求め、当該各反射光の振幅に基づいて振幅比を計算し、当該振幅比に基づいて前記光ディスクを判別する工程と、
を備える光ディスクの判別方法。
【発明の詳細な説明】
【技術分野】
【０００１】
本発明は異なる種類の光ディスクの記録又は再生に対して互換性を備える情報再生記録装置、及び光ディスクの判別方法に関するものである。
【背景技術】
【０００２】
近年、従来のＣＤ及びＤＶＤの規格に加えて、波長４０５ｎｍの青紫レーザを読み取り/記録に用い、ＤＶＤに比較して記憶容量を大幅に向上させたＨＤＤＶＤ及びＢｌｕ−ｒａｙディスク（ＢＤ）の規格が追加されている。
【０００３】
さらに、ＣＤとＤＶＤのように、異なる規格の特徴を共に備えたデュアルディスク（「ハイブリッドディスク」ともいう。）や、記録層と反対側に熱又は光によって変色する変色層を基板に一体に設け、変色層にレーザ光を照射して記録層と反対側にレーベル面を形成できるようにしたレーベルフラッシュディスクに関する規格も存在する。
【０００４】
そこで、異なる種類の光ディスクの記録又は再生に対して互換性を備える情報再生記録装置は、光ディスクへの記録、または光ディスクの再生の際に光ディスクの種類を判別する必要がある。
【０００５】
例えば、特開平１０−７６２４６号公報には、指定された記録領域にディスクタイプを表示する識別情報の記録された光ディスクの再生装置におけるハイブリッドディスクの判別方法において、ＤＶＤ再生装置に設置されている光ディスク上にＣＤレーザビームを照射する段階と、光学ディスクからデータが読み出せる場合、識別情報が指定された記録領域に記録されているかを点検する段階と、識別情報が指定された記録領域に記録されている場合、光学ディスクをハイブリッドディスクとして認識する段階とから構成されるハイブリッドディスクの判別方法が記載されている。
【０００６】
また、特開２００７−２２６８６９号公報には、光ピックアップを上下させてフォーカスエラー信号を検出し、フォーカスエラー信号が特定のレベルを超えた時点から次にフォーカスエラー信号が特定のレベルを超えるまでの間に、フォーカスエラー信号が最大となる位置でのフォーカス駆動高さｈを検出し、２層以上の層を持つディスクがセットされた場合、前記の方法で検出した複数のフォーカス駆動高さ間の距離ｄを用いる事で、セットされた光ディスクがどのようなディスクであるのかを高精度に判別し、起動処理の無駄を無くした光ディスク装置が記載されている。
【０００７】
さらに、特開２００４−２０６８４５号公報には、フォーカス制御の前のフォーカスサーチ時に表れるフォーカスエラー信号の波形によって、光ピックアップが対向しているレーベル面を識別する光ディスク装置が記載されている。
【特許文献１】特開平１０−７６２４６号公報
【特許文献２】特開２００７−２２６８６９号公報
【特許文献３】特開２００４−２０６８４５号公報
【発明の開示】
【発明が解決しようとする課題】
【０００８】
特開平１０−７６２４６号公報記載の光ディスク装置は、光ディスクに記録された識別情報に基づいてハイブリッドディスクを判別しているために、その判別を迅速に行えないという課題がある。
【０００９】
また、特開２００７−２２６８６９号公報記載の光ディスク装置は、フォーカスエラー信号が最大となる位置でのフォーカス駆動高さｈを検出するために光ディスクの表面位置を認識しなければならず、光ディスクの表面に焦点が合うことができるように、光学機構を光ディスクから離れた位置をとれるよう構成しなければならない。
【００１０】
しかしながら、例えば９．５ｍｍ厚のスリムドライブでは、光学機構を動かすことができるストロークを制限せざるを得ないことから、複数のフォーカス駆動高さ間の距離ｄを正確に取得できずディスク判別を正確に行えない課題がある。
【００１１】
また、ＤＶＤとＣＤとをラベル層を介して貼り合わせた形態のデュアルディスクの規格では、光ディスク装置に装着される光ディスクの向きを変えることによって、ユーザはデュアルディスクをＤＶＤ又はＣＤとして利用することができる。
【００１２】
従来の光ディスク装置では、デュアルディスクのＣＤ面を通常のＣＤであると判定し、両者を区別することなく、光ディスクに対する再生又は記録を同一条件で行っていた。
【００１３】
ところで、このデュアルディスクにおいては、ＣＤ層の厚さが通常のＣＤの厚さ（１．２ｍｍ）とは異なり０．９ｍｍに設定されているためにＣＤ記録面の位置が異なったものになっていた。
【００１４】
したがって、デュアルディスクのＣＤ面に対するデータの再生品質あるいはデータの記録品質を向上させるためには、通常のＣＤとは別に光ディスク装置の処理条件を最適化する必要がある。既述の公報記載の光ディスク装置は、デュアルディスクのＣＤ面と通常のＣＤとを区別することを明らかにしていない。
【００１５】
なお、特開２００４−２０６８４５号公報にはデュアルディスクを判別することは記載されていない。
【００１６】
本発明はこれらの課題を解決するために、デュアルディスクを他のディスクから迅速かつ正確に判別できる光ディスク装置及び光ディスクの判別方法を提供することを目的とするものである。
【００１７】
本発明の他の目的は、スリムドライブのように光学機構の可動ストロークが制限されるものであっても、デュアルディスクを他のディスクから正確に区別できる光ディスク装置及び光ディスクの判別方法を提供することを目的とするものである。
【００１８】
さらに本発明の他の目的は、デュアルディスクのＣＤ面を通常のＣＤから区別できる、光ディスク装置及び光ディスクの判別方法を提供することを目的とするものである。
【００１９】
さらに本発明の他の目的は、デュアルディスクとレーベルフラッシュディスクとを区別できる光ディスク及び光ディスクの判別方法を提供することを目的とするものである。
【課題を解決するための手段】
【００２０】
前記目的を達成するために、本発明は、光ディスク装置が光ディスクにそれぞれ異なる波長のレーザ光を照射し、各波長のレーザ光の照射によって得られた反射光を検出し、各反射光の検出結果から誤差信号の振幅を求め、反射光同士の振幅の比に基づいて光ディスクの判別を行うことを特徴とするものである。
【発明の効果】
【００２１】
本発明によれば、デュアルディスクを他のディスクから迅速かつ正確に判別できる光ディスク装置及び光ディスクの判別方法を提供することができる。
さらに本発明によれば、スリムドライブのように光学機構の可動ストロークが制限されるものであっても、デュアルディスクを他のディスクから正確に区別できる光ディスク装置及び光ディスクの判別方法を提供することができる。
【００２２】
さらにまた本発明によれば、デュアルディスクのＣＤ面を通常のＣＤから区別できる、光ディスク装置及び光ディスクの判別方法を提供することができる。
【００２３】
さらにまた本発明によれば、デュアルディスクとレーベルフラッシュディスクとを区別できる光ディスク及び光ディスクの判別方法を提供することができる。
【発明を実施するための最良の形態】
【００２４】
次に、本発明の実施形態を図面に基づいて説明する。図１は本発明に係わる光ディスク装置のブロック図である。光ディスク装置は主として光ピックアップ１０と信号処理手段１２とを備えて構成されている。
【００２５】
レーザダイオード1０１から直線偏光のレーザ光１０２が出射し、コリメートレンズ１０３によって平行光束となる。レーザ光１０２は偏光ビームスプリッタ１０４を通過する。偏光ビームスプリッタ１０４は、レーザダイオード１０１から出射したレーザ光１０２を損失無く透過させる。
【００２６】
偏光ビームスプリッタ１０４を通過したレーザ光１０２は、球面収差補正素子１０５によって所定の球面収差を付加され、立ち上げミラー１０６で反射し、スピンドルモータ１０１によって回転駆動されている光ディスク媒体１１０の方向に進路を変える。
【００２７】
レーザダイオード１０１は、ＣＤ用（赤外：波長７８０ｎｍ）、ＤＶＤ用（赤：波長６５０ｎｍ）のレーザを出射する２つのレーザ発生手段、又は、これに加えてＨＤＤＶＤ又はＢＤ用（青紫：波長４０５ｎｍ）のレーザ光を出射する合計で３つのレーザ発生手段から構成されている。
【００２８】
レーザ光１０２は、λ／４板１０７を通過することで、その偏光状態が直線偏光から円偏光に変化する。レーザ光１０２は対物レンズ１０８によって集光され、情報記録面を保護するためのカバー層１１１を通して情報記録面１１２に到達し、そこに光スポットを形成する。
【００２９】
情報の記録は、データに基づいて変調されたレーザ光を情報記録面に集光して照射し、形成された光スポットによって発生した熱によって、情報記録面の状態を変化させることで行われる。一方、情報の再生は、情報記録面の状態の変化によって生じる反射率の変化を検出することで行われる。
【００３０】
再生専用光ディスクの場合には、予めディスク製造工程において、情報記録面に、凹凸ピットが形成されており、この凹凸ピットによる光の反射率の変化を検出することで、情報が再生される。
【００３１】
情報記録面で反射したレーザ光１０２は、対物レンズ１０８を通り、続いてλ／４板１０７を通過することで再び直線偏光に戻り、更に立ち上げミラー１０６で反射して、偏光ビームスプリッタ１０４の方向に向かう。
【００３２】
レーザ光１０２は、続く偏光ビームスプリッタ１０４で反射し、直角方向に進路を変える。レーザ光１０２は、検出レンズ１１３と、誤差信号検出用のシリンドリカルレンズ（円筒レンズ）１１４によって、光検出器１１５上に集光される。
【００３３】
光検出器１１５の検出面２００は図２に示すように、ディスクの半径方向に２分割、そしてトラック方向にも２分割で合計４分割されている。分割された各々の検出部Ａ、Ｂ、Ｃ及びＤは、それぞれ出力信号ＩA、ＩB、ＩC及びＩDを出力する。
【００３４】
これらの出力信号を用いて、再生信号が再生信号生成回路１１６によって生成される。また、フォーカス誤差信号ＦＥ（（ＩB＋ＩD）−（ＩA＋ＩC））が、フォーカス誤差（ＦＥ）信号生成回路１１８によって生成される。さらに、ＰＥ（プルインエラー）信号（ＩA＋ＩB＋ＩC＋ＩD）が再生信号生成回路１１６で生成される。
【００３５】
フォーカス誤差信号は、情報記録面１１２に対する光スポットのディスク回転軸方向のずれによって生じる信号であり、光スポットを情報記録面１１２に追従させるフォーカスサーボのためのフォーカスアクチュエータの駆動用に用いられる。
【００３６】
シリンドリカルレンズ１１４の働きで、光ディスクの記録面に焦点が合っているとき、その反射光の像は光検出器の４分割受光面上で円形になる。このとき、フォーカス誤差信号である対角方向の受光面間の差動出力（（ＩB＋ＩD）−（ＩA＋ＩC））はゼロになり焦点が合うことになる。
【００３７】
ディスクの記録面が対物レンズの焦点位置から近くなったり遠くなったりすると、４分割受光面上の像が円形から楕円形に変化して、フォーカシングエラー信号は正（遠）、負(近)の電気信号(電圧)になる。図４はフォーカス誤差信号を示す波形図である。焦点ずれに比例してフォーカス誤差信号の電圧が変化する。誤差電圧が図４のように変化する過程で、誤差電圧が０になるようにフォーカスアクチュエータは対物レンズのディスクに対する位置を光軸方向に調整して焦点を合わせる。
【００３８】
トラッキング誤差信号生成回路１１７は、（ＩA＋ＩC）と（ＩB＋ＩD）との位相比較を行ってトラッキング誤差信号を生成する。トラッキング誤差信号は、トラックに対する光スポットのディスク半径方向の位置ずれによって生じる信号であり、光スポットをトラックに追従させるトラッキングサーボに用いられる。
【００３９】
図３に示すように、マイクロプロセッサ１２１は、送られてきたトラッキング誤差信号（ＴＥ信号）３０４に基づいて、アクチュエータ駆動回路１２３に指令を送り、アクチュエータ駆動回路１２３は、その指令に基づいてアクチュエータ１２４を制御し、対物レンズ１０８をディスク半径方向に駆動し位置決めする。
【００４０】
また、マイクロプロセッサ１２１は、送られてきたフォーカス誤差信号（ＦＥ信号）３００に基づいて、アクチュエータ駆動回路１２３に指令を送り、アクチュエータ駆動回路１２３は、その指令に基づいてアクチュエータ１２４を制御し、対物レンズ１０８をディスク回転軸方向に駆動し位置決めをする。
【００４１】
アクチュエータは、光ディスク上の記録マークに常に光スポットの位置合わせを行うために、対物レンズ１０８をムービングコイル型モータで発生させた電磁力によって２軸方向に高速かつ高精度に移動させるための機構である。アクチュエータによるフォーカシングは、レーザ光の光スポットを光軸方向に移動させ、そのトラッキングはレーザ光の光スポットは光軸とは直交する方向に移動させる。
【００４２】
再生信号はデータ信号であり、信号処理回路１１９において波形等化処理等の信号処理が施された後、復調回路１２０において２値信号に変換される。２値信号は、マイクロプロセッサ１２１においてデータに変換され、上位装置に送られる。
【００４３】
また、マイクロプロセッサ１２１は、データが所定の速度で再生されるように、スピンドルモータ駆動回路１２２を制御し、スピンドルモータ１０９の回転数を制御する。
【００４４】
光ディスクにデータを記録する際には、マイクロプロセッサ１２１で、上位装置から送られたデータが符号化され記録信号が生成される。記録信号は、レーザ駆動回路１２５に送られ、記録信号に基づいてレーザダイオード１０１が駆動される。
【００４５】
光ディスク装置がディスクを判別する際、マイクロプロセッサ１２１はレーザダイオード１０１からレーザ光を光ディスクに照射している状態で、アクチュエータ駆動回路１２３に指令を送ることによりフォーカスアクチュエータ１２４を駆動し、図５に示すように、対物レンズ１０８を（Ａ）の位置から（Ｂ）の位置にディスク回転軸方向に定速で連続的に移動させる。フォーカスアクチュエータ１２４は対物レンズ１０８が（Ｂ）の位置でレーザ光の焦点を情報記録面１１２に合わせることができる。
【００４６】
この過程で図４に示すように変化するフォーカス誤差信号がフォーカス誤差信号生成回路１１８で生成される。マイクロプロセッサ１２１は、フォーカス誤差信号を常時モニタし、このディスクの記録面に対物レンズの焦点位置が合う前後で発生するフォーカス誤差信号の最大振幅（ＦＥ振幅）に相当する電圧をメモリ１２７に記憶する。
【００４７】
ＰＥ信号も光ディスクの記録面に対物レンズの焦点位置が合う前後で最大の振幅となる。マイクロプロセッサは、ＰＥ信号の最大振幅（ＰＥ振幅）に相当する電圧をメモリ１２７に記憶する。
【００４８】
本願発明は、特開２００７−２２６８６９号のように、光ディスクの判別にフォーカス誤差信号が最大となる際のフォーカス駆動高の差（Ｈ）を採用していないために、ディスク表面に焦点が合うように対物レンズを配置し、ディスク表面からの反射光についてフォーカス誤差信号の振幅を考慮するがない。
【００４９】
したがって、フォーカスアクチュエータは対物レンズを光ディスク１１０の表面にレーザ光の焦点を合わせることができる（Ｃ）の位置からではなく、より光ディスク１１０側にある（Ａ）の位置から（Ｂ）の位置まで移動させればよいために、対物レンズを動かすストロークを（Ｂ−Ａ）の範囲に制限することができる。
【００５０】
よって、次に詳しく説明するように、本発明によれば、スリムドライブのように対物レンズの可動範囲が制限されるようなものであっても、光ディスクの判別を確実に行うことができる。
【００５１】
本発明の一形態に係る光ディスク装置は、ＤＶＤレーザを光ディスクの情報記録面に照射して得られた反射光におけるフォーカス誤差信号の振幅（ＦＥ1）、ＤＶＤレーザを光ディスクの情報記録面に照射して得られた反射光におけるプルインエラー信号振幅（ＰＥ1）、ＣＤレーザを光ディスクの情報記録面に照射して得られた反射光におけるフォーカス誤差信号の振幅（ＦＥ２）、ＣＤレーザを光ディスクの情報記録面に照射して得られた反射光におけるプルインエラー信号の振幅（ＰＥ２）を測定し、これらの値について特定演算を行って光ディスクの判別を行う。
【００５２】
発明者は、光ディスクを判別するための指標について種々検討したところ、これら複数の振幅についての比に基づいて光ディスクを正確に判別できるとの知見を得た。
【００５３】
すなわち、ＦＥ１とＦＥ２との比である、（（ＦＥ１）／（ＦＥ２））*1が第１の特定閾値より大きい場合には対象ディスクがＤＶＤであると判別でき、反対に第１の特定閾値以下の場合には対象ディスクがＤＶＤ以外と判別できる。なお、＊１を以後“第１の指標”と称する。
【００５４】
次に、（ＰＥ２とＦＥ１との比）と（ＰＥ２とＰＥ１との比）を乗じた、[（（ＦＥ２）／（ＦＥ１））＊（（ＰＥ２）／（ＰＥ１））]*2が第２の特定閾値より大きい場合には、対象ディスクがＣＤであると判別でき、反対に第２の特定閾値以下の場合には対象ディスクがＣＤ以外と判別できる。なお、＊２を以後“第２の指標”と称する。
【００５５】
さらに、ＰＥ１とＦＥ１との比である（（ＰＥ１）／（ＦＥ１））が第３の特定閾値より大きい場合には、対象ディスクがＣＤ記録面とＤＶＤ記録面とを有するデュアルディスクのＣＤ面であると判別でき、この値が第３の特定閾値以下の場合には、対象ディスクがレーベルフラッシュディスクのレーベル面であると判別できる。なお、＊３を以後“第３の指標”と称する。
【００５６】
したがって、これらの指標による対象ディスクの判別手法を組み合わせることによって、デュアルディスクとレーベルフラッシュディスクを含めた複数種類のディスクを互いに判別することができる。
【００５７】
図６は光ディスク装置の対象ディスクを判別するための動作を示すフローチャートである。なお、対象ディスクが各種ＤＶＤ、各種ＣＤ、デュアルディスク、及びレーベルフラッシュディスクの何れかであり、を光ディスク装置がこれら光ディスクを互いに判別できることを前提にして当該フローチャートを説明する。
【００５８】
先ず、マイクロコンピュータ１２１は光ディスク１１０にＣＤ用レーザ光又はＤＶＤ用レーザ光などの所定波長のレーザ光を照射して、反射光のプルインエラー信号を検出してディスクの有無を判定する（６００）。プルインエラー信号に所定以上の出力がない場合には、光ディスクなしと判定する（６０１）。
【００５９】
次いで、マイクロコンピュータは光ディスクにＣＤ用レーザ光とＤＶＤ用レーザ光をそれぞれ照射して、各反射光から誤差信号の振幅である既述のＦＥ１，ＦＥ２，ＰＥ１，ＰＥ２を求める(６０２)。
【００６０】
マイクロコンピュータは既述の第１の指標について演算を行い、演算結果と第１の閾値とを比較して対象ディスクがＤＶＤであるかそれ以外のディスクであるかを判定する（６０４）。なお、既述の各閾値はメモリ１２７に指標ごとにテーブルの形で記憶されている。
【００６１】
マイクロコンピュータが対象ディスクをＤＶＤ以外であると判定すると、第２の指標についての演算を行い対象ディスクがＣＤであるかそれ以外のディスクであるかを判定する（６０６）。
【００６２】
マイクロコンピュータが対象ディスクをＤＶＤでもなく、そしてＣＤでもないディスクであると判定すると、対象ディスクはデュアルディスクのＣＤ面、又はレーベルフラッシュディスクのレーベル面であるために、マイクロコンピュータは第３の指標について演算を行い、対象ディスクがデュアルディスクか否かを判定する(６０８)。
【００６３】
この判定が肯定されると対象ディスクはデュアルディスクである最終的に判別されたためディスク判別の処理を終了する(６１２)。一方、ステップ６０８の判定が否定されると対象ディスクはレーベルフラッシュディスクであると最終的に判別されたため(６１０)、ディスク判別の処理を終了する（６１２）。
【００６４】
マイクロコンピュータは対象ディスクをＤＶＤであると判定した後、フォーカスエラー信号の振幅（ＦＥ１）を利用して、２層ディスク（ＤＶＤＤＬ）か１層のディスクかを区別する（６１４）。対象ディスクが２層ディスクの場合にはフォーカスシングの際のフォーカスエラー信号の振幅が２度出現するので、この区別が可能となる。
【００６５】
対象ディスクが２層のＤＶＤ（ＤＶＤＤＬ）であると最終的に判別されると(６１６)、マイクロコンピュータはディスク判別の処理を終了する（６１２）。
【００６６】
次に、マイクロコンピュータはＰＥ１に基づく対象ディスクの反射率の大小を判定して(６１８)、反射率の大きいＤＶＤ（ＤＶＤＲＯＭ，ＤＶＤＲ）（６２２）と反射率が小さいＤＶＤ（ＤＶＤＲＷ，ＤＶＤＲＡＭ）（６２０）とを判別する。
【００６７】
一方、マイクロコンピュータは既述のＦＥ２とＰＥ２とに基づいて、ＣＤＲＷとそれ以外を判定し(６２４)、次いでＣＤＲとそれ以外とを判定する（６２６）。この結果、マイクロコンピュータはＣＤＲＷを（６３２）判別し、ＣＤＲを判別し（６３４）、そしてＣＤＲＯＭを判別する(６２８)して、ディスク判別の処理を終了する(６３０)。
【００６８】
今、デュアルディスクのＤＶＤ面が光ディスク装置に装着されると、マイクロコンピュータはステップ６０４の判定を肯定し、ステップ６１４の判定を否定して、デュアルディスクを最終的には何れかのＤＶＤ（1層）と判別する。
【００６９】
一方、デュアルディスクのＣＤ面が光ディスク装置に装着されると、マイクロコンピュータはステップ６０６の判定を否定してデュアルディスクのＣＤ面を通常のＣＤの記録面と区別し、さらにステップ６０８の判定を肯定して、対象ディスクがデュアルディスクのＣＤ面であると判別する。
【００７０】
さらに、レーベルフラッシュディスクのレーベル面が光ディスク装置に装着されると、マイクロコンピュータはステップ６０６の判定を否定し、次いでステップ６０８の判定を否定して対象ディスクがレーベルフラッシュディスクのレーベル面であると判別する。
【００７１】
次に、発明者が既述の指標に対する特定閾値を見出すに至った知見について説明する。図７は図示する複数種類のディスクについて第１の指標に係る計算を複数回行い、実際の算出値(横軸)とその算出値の出現した頻度（％）(縦軸)との関係を示した特性グラフである。
【００７２】
このグラフから分かるように算出値が２００付近を境にして、それ以下ではＤＶＤが出現しない。したがって、第１の指標については２００を閾値（第１の閾値）とすると、対象ディスクがＤＶＤかそれ以外のディスクであるかが判別可能となる。デュアルディスクのＤＶＤ面はここではＤＶＤと判別され、デュアルディスクのＣＤ面はＤＶＤ以外のディスクと判別される。
【００７３】
さらに、図８は図示する複数種類のディスクについて第２の指標に係る計算を複数回行い、実際の算出値(横軸)とその算出値の出現した頻度（％）(縦軸)との関係を示した特性グラフである。
【００７４】
このグラフから分かるように算出値が２５０付近を境にそれ以下の算出値にはＣＤが出現しない。したがって、第２の指標については２５０を閾値（第２の閾値）とすると、対象ディスクがＣＤかそれ以外のディスクであるかが判別可能である。デュアルディスクのＣＤ面はここでは通常のＣＤ以外のディスクと判別される。
【００７５】
デュアルディスクのＣＤ層は通常のＣＤの厚さと異なるために、それぞれディスク表面から信号面までの距離に差が生じ、入射光がディスクに当たった際のスポットの形状が異なってくると考えられる。したがって、第２の指標に関する計算値に相違が両者について発生し、この相違を既述の特性式によって数値によって把握することによって、デュアルディスクのＣＤ面と通常のＣＤの記録面とを区別することができる。
【００７６】
さらに、図９はレーベルフラッシュディスクとデュアルディスクについて第３の指標に係る計算を複数回行い、実際の算出値(横軸)とその算出値の出現した頻度（％）(縦軸)との関係を示した特性図である。このグラフから分かるように算出値が２００付近を境にしてそれ以下の算出値にはレーベルフラッシュディスクのみが出現し、それを超える値ではデュアルディスク（ハイブリッドディスク）のみが出現する。
【００７７】
したがって、第３の指標については２００を閾値（第３の閾値）とすると、対象ディスクがデュアルディスクのＣＤ面かレーベルフラッシュディスクのレーベル面かを判別することができる。
【００７８】
図７乃至９の理解を助けるために、さらに図１０を用いて説明を補足する。図１０において、ＤｉｓｃＡの場合、算出値はおよそ０から１００の狭い間に集中していることを示している。そのため、その算出値を取る割合である頻度は大きくなる傾向である。
【００７９】
一方、ＤｉｓｃＢについては算出値がおよそ１００から３００までの広い間にばらつくことを意味している。そのため頻度は小さくなる傾向になる。Ｄｉｓｃ判別においてこの頻度の大小はあまり重要ではなく、ＤｉｓｃＡとＤｉｓｃＢのとる範囲に重ならない区間が存在し、そこにＤｉｓｃを判別するための特定閾値を見出すことできることが重要である。図１０の場合、特定閾値を１００(％)に設定すれば次のようになってＤｉｓｃＡとＤｉｓｃＢとを区別することができる。
【００８０】
算出値＜１００(％)  ならＤｉｓｃＡ
算出値＞１００(％)  ならＤｉｓｃＢ
なお、２層ＤＶＤの場合FE信号、PE信号はＤＶＤ記録層数が2つあるためにエラー信号のピーク(図５)が2個出現する。２層DVDの判別に際しては、信号数が2個現れることを検出して判別しており、この際、振幅の大小は問わない。一方、反射率大小を判別する場合は、2個信号のうち、振幅の大きいほうを採用する。図５の振幅についても電圧値が大きい方を採用する。
【００８１】
また、既述の特定閾値は、光ピックアップの構造、ディスク構造(ピット構造、ディスク反射率)とレーザ波長(既述の実施形態では2種類のレーザ光波長)の違いにより、入射光がディスクに当たった後の反射の仕方の相違によって変動する。
【図面の簡単な説明】
【００８２】
【図１】本発明の光ディスク装置の実施形態の構成を説明するブロック図である。
【図２】フォーカス誤差信号（ＦＥ）、プルインエラー信号（ＰＥ）を生成する回路の詳細構成を示すブロック図である。
【図３】光ディスク装置の信号処理手段の詳細構成を示すブロック図である。
【図４】フォーカス誤差信号の波形図である。
【図５】対物レンズのフォーカシングと、フォーカス誤差信号及びプルインエラー信号との関係を示した特性図である。
【図６】光ディスク装置の光ディスク判別処理に係るフローチャートである。
【図７】図示する複数種類のディスクについて第１の指標に係る計算を複数回行い、実際の算出値(横軸)とその算出値の出現した頻度（％）(縦軸)との関係を示した特性グラフである。
【図８】図示する複数種類のディスクについて第２の指標に係る計算を複数回行い、実際の算出値(横軸)とその算出値の出現した頻度（％）(縦軸)との関係を示した特性グラフである。
【図９】レーベルフラッシュディスクとデュアルディスクについて第３の指標に係る計算を複数回行い、実際の算出値(横軸)とその算出値の出現した頻度（％）(縦軸)との関係を示した特性図である。
【図１０】図７乃至図９の理解を助けるための模式図である。
【符号の説明】
【００８３】
１０１：レーザダイオード，１０２：レーザ光，１０９：スピンドルモータ，１１０：光ディスク媒体，1１２：情報記録面，1１５：光検出器，１１６：再生信号生成回路（プルインエラー信号生成回路），１１７：トラッキング誤差信号生成回路，１１８：フォーカス誤差信号生成回路，１１９：信号処理回路，１２０：復調回路，１２１：マイクロプロセッサ，１２２：スピンドルモータ駆動回路，１２３：アクチュエータ駆動回路，１２４：アクチュエータ，１２５：レーザ駆動回路
【図１】
2009151863.tif 000003
【図２】
2009151863.tif 000004
【図３】
2009151863.tif 000005
【図４】
2009151863.tif 000006
【図５】
2009151863.tif 000007
【図６】
2009151863.tif 000008
【図７】
2009151863.tif 000009
【図８】
2009151863.tif 000010
【図９】
2009151863.tif 000011
【図１０】
2009151863.tif 000012
【手続補正書】
【提出日】平成20年1月21日(2008.1.21)
【手続補正１】
【補正対象書類名】明細書
【補正対象項目名】０００５
【補正方法】変更
【補正の内容】
【０００５】
例えば、特開平１１−８６３３８（特願平１０−７６２４６）号公報には、指定された記録領域にディスクタイプを表示する識別情報の記録された光ディスクの再生装置におけるハイブリッドディスクの判別方法において、ＤＶＤ再生装置に設置されている光ディスク上にＣＤレーザビームを照射する段階と、光学ディスクからデータが読み出せる場合、識別情報が指定された記録領域に記録されているかを点検する段階と、識別情報が指定された記録領域に記録されている場合、光学ディスクをハイブリッドディスクとして認識する段階とから構成されるハイブリッドディスクの判別方法が記載されている。